(57)【特許請求の範囲】
【請求項１】
カードを挿入および排出する開口と、
妨害磁界を発生させる磁界発生部と、
ＩＣ接点の有無を検出するＩＣ接点検出センサと、
前記磁界発生部及び前記ＩＣ接点検出センサの動作を制御する制御部とを備え、
前記制御部は、
カード挿入待ち状態において前記開口からカードが挿入された場合、前記磁界発生部により妨害磁界を所定値以下で発生させるタイミングと、前記ＩＣ接点検出センサによりＩＣ接点の有無を検出するタイミングとが同期するように制御する
ことを特徴とするカード挿入排出口ユニット。
【請求項２】
カードの挿入を検出するカード挿入検出センサを備え、
前記制御部は、
カード挿入待ち状態において前記開口からカードが挿入された場合、前記カード挿入検出センサによりカードの挿入の有無を検出するタイミングに基づいて、前記磁界発生部により妨害磁界を所定値以下で発生させるタイミングと、前記ＩＣ接点検出センサによりＩＣ接点の有無を検出するタイミングとが同期するように制御する
ことを特徴とする請求項１に記載のカード挿入排出口ユニット。
【請求項３】
前記制御部は、
前記カード挿入検出センサによりカードが挿入されたものと検出され、かつ、前記ＩＣ接点検出センサによりカードが有るものと検出された場合、カードの挿入を可能とするシャッタを開放する
ことを特徴とする請求項２に記載のカード挿入排出口ユニット。
【請求項４】
前記制御部は、
前記磁界発生部により妨害磁界を間欠的に発生させる
ことを特徴とする請求項１〜３の何れか一項に記載のカード挿入排出口ユニット。
【請求項５】
請求項１〜４の何れか一項に記載のカード挿入排出口ユニットを備える
ことを特徴とするカード処理装置。
【請求項６】
請求項５に記載のカード処理装置を搭載した自動取引装置。
【発明の詳細な説明】
【技術分野】
【０００１】
本発明は、カード挿入排出口ユニット、カード処理装置及び自動取引装置に関し、特に磁界発生部およびＩＣ接点検出センサを備えたカード挿入排出口ユニット、カード処理装置及び自動取引装置に適用して好適なるものである。
【背景技術】
【０００２】
ＡＴＭ（現金自動預金支払機）などの取引処理装置には、磁気カードもしくはＩＣカードに対して情報の処理を行うカード処理装置が搭載されている。このカード処理装置は、カード挿入排出口から挿入された磁気カードもしくはＩＣカードを本体内に取り込んで、磁気カードの磁気ストライプに記録された磁気情報を磁気ヘッドで読み込んだり、ＩＣカードのＩＣチップに記録された情報を読み込んだりする。そして取引終了後に磁気カードもしくはＩＣカードを本体内からカード挿入排出口へ排出する。
【０００３】
ＡＴＭにおいて、磁気ヘッドを備えた偽のカード挿入排出口を有する不正装置を正規のカード挿入排出口に被せるように設置して、磁気カードの磁気情報を不正に取得するスキミングと呼ばれる犯罪がある。スキミングの防止対策として、例えば磁界発生部により正規のカード挿入排出口の近傍に磁界を発生させて、不正装置の磁気ヘッドで磁気カードの磁気情報が読み取られることを妨害する技術がある（例えば特許文献１及び２）。
【０００４】
特許文献１及び２に記載の磁界発生部は、コイルやループアンテナから成り、カード処理装置の本体前面部や該前面部に設置されたカード挿入口ユニット内に設置されている。また磁界発生部の駆動を制御する制御部は、本体内に設置されている。
【０００５】
また最近では磁気カードよりセキュリティ性の高いＩＣカードが利用されるようになってきているため、挿入されるカードがＩＣカードであるか検出する機能を備えるカード処理装置がある（例えば特許文献３）。具体的に、カード処理装置のカード挿入排出口ユニットにＩＣ接点検出センサを備え、ＩＣ接点を有するカードであるか否かを検出する。従来、ＩＣ接点検出センサには電磁誘導を応用した近接スイッチが多く用いられている。
【先行技術文献】
【特許文献】
【０００６】
【特許文献１】特開２００１−６７５２４号公報
【特許文献２】特開２００５−２６６９９９号公報
【特許文献３】特開２０１１−１９２１８２号公報
【発明の概要】
【発明が解決しようとする課題】
【０００７】
しかし、特許文献１及び２に記載のスキミング防止装置と、特許文献３に記載のＩＣ接点検出機能とを同時にカード処理装置のカード挿入排出口に搭載しようとすると、スキミングの防止対策である妨害磁界がカード挿入排出口ユニットのＩＣ接点検出センサに影響を及ぼし、ＩＣ接点を正しく検出することができないという課題がある。
【０００８】
本発明は以上の点を考慮してなされたもので、磁気カードの磁気情報の不正な読み取りを防止しつつ、ＩＣ接点検出センサの性能を低下させないように維持するカード挿入排出口ユニット、カード処理装置及び自動取引装置を提供する。
【課題を解決するための手段】
【０００９】
かかる課題を解決するために本発明においては、カードを挿入および排出する開口と、妨害磁界を発生させる磁界発生部と、ＩＣ接点の有無を検出するＩＣ接点検出センサと、磁界発生部及びＩＣ接点検出センサの動作を制御する制御部とを備え、制御部は、カード挿入待ち状態において開口からカードが挿入された場合、磁界発生部により妨害磁界を所定値以下で発生させるタイミングと、ＩＣ接点検出センサによりＩＣ接点の有無を検出するタイミングとが同期するように制御するカード挿入排出口ユニット、カード処理装置及び自動取引装置が提供される。
【発明の効果】
【００１０】
本発明によれば、磁気カードの磁気情報の不正な読み取りを防止しつつ、ＩＣ接点検出センサの性能を低下させることなく、ＩＣ接点を有するＩＣカードが挿入されたかを検出することができる。
【図面の簡単な説明】
【００１１】
【図１】カード処理装置のブロック図である。
【図２】カード処理装置の概略構造図である。
【図３】カード処理装置の本体とカード挿入排出口ユニットの分離図である。
【図４】ＩＣ接点検出信号と妨害磁界との関係を示す概念図である。
【図５】ＩＣ接点検出信号と磁界方向との関係を示す他の概念図である。
【図６】ＩＣ接点検出信号及び妨害磁界の発振周波数の説明図である。
【図７】カード処理装置の挿入排出口の上面図である。
【図８】妨害波及びＩＣ接点検出信号の出力タイミングを示すシーケンス図である。
【発明を実施するための形態】
【００１２】
（１）カード処理装置の構成
まず、本実施の形態にかかるカード処理装置１００の構成について、図１および図２を参照して説明する。
【００１３】
カード処理装置１００は、例えば、金融機関に設置されたＡＴＭなどに搭載される。カード処理装置１００は、顧客が所有する磁気カードまたはＩＣカードを受け付けて、磁気カードに記録された磁気情報またはＩＣカード内に格納されている情報を読み取るカードリーダから構成されている。
【００１４】
図１に示すように、カード処理装置１００は、本体１とカード挿入排出口ユニット１０を備えている。本体１は、制御部２、記憶部３、磁気読み取り部４、カード搬送部５、カード位置検出センサ６、ホストインタフェイス７、カード挿入検出センサ８、シャッタ駆動部９及びＩＣカード通信部２０を含む。またカード挿入排出口ユニット１０は、磁界制御部１３、ループアンテナ１２を備える磁界発生部１１、ＩＣ接点検出制御部２１及びＩＣ接点検出センサ２２を含む。
【００１５】
なお本体１の内部には、制御部２、記憶部３、磁気読み取り部４、カード搬送部５、カード位置検出センサ６、ホストインタフェイス７及びＩＣカード通信部２０が設けられ、本体１の外側には、カード挿入検出センサ８およびシャッタ駆動部９が設けられる。
【００１６】
制御部２は、マイクロコンピュータから構成され、各部の動作を統括的に制御する。記憶部３は、メモリから構成され、各種の情報を記憶している。磁気読み取り部４は、図２に示すように、磁気ヘッド４ａと、磁気ヘッド４ａの信号を処理するための回路（図示省略）から構成されている。磁気読み取り部４は、本体１内で磁気ヘッド４ａによりカード２００の磁気ストライプから磁気情報を読み取る。
【００１７】
カード搬送部５は、図２に示すように、複数のローラ５ａと、該ローラ５ａを回転させるためのモータや回路（図示省略）から構成されている。カード搬送部５は、本体１内でローラ５ａ間にカード２００を挟み込み、モータの駆動力でローラ５ａを回転させて、カード２００を往復搬送する。
【００１８】
カード位置検出センサ６は、図２に示すように、複数の光センサ６ａから構成されている。制御部２は、各カード位置検出センサ６の出力状態に基づいて、本体１内におけるカード２００の位置を検出する。ホストインタフェイス７は、ＡＴＭに情報を送受信する回路から構成されている。
【００１９】
カード挿入検出センサ８は、図２に示すように、マイクロスイッチ８ａ及び小型磁気ヘッド８ｂから構成されている。制御部２は、カード挿入検出センサ８の出力状態に基づいて、カード挿入排出口ユニット１０へのカード２００の挿入を検出する。シャッタ駆動部９は、図２に示すように、シャッタ９ａを開閉させるためのソレノイドや回路（図示省略）から構成される。なお８ａはフォトインタラプタに代表される光検出素子でもよい。
【００２０】
ＩＣカード通信部２０は、図２に示すように、ＩＣ接点ユニット２０ａなどから構成されている。ＩＣカード通信部２０は、ＩＣ接点ユニット２０ａを用いてＩＣカードと通信する。具体的に、ＩＣカード通信部２０は、挿入されたＩＣカードのＩＣチップに記録された情報を読み込んで、当該情報を制御部２に提供する。
【００２１】
次に、カード挿入排出口ユニット１０の詳細について説明する。磁界発生部１１には、ループアンテナ１２と、ループアンテナ１２を駆動するための回路（図示省略）が含まれている。磁界発生部１１は、ループアンテナ１２に電流を流すことにより妨害波を発生させて、ループアンテナ１２から妨害磁界を放射させる。
【００２２】
磁界制御部１３は、マイクロコンピュータから構成されている。磁界制御部１３は、磁界発生部１１のループアンテナ１２からの妨害磁界の発生および停止を制御する。
【００２３】
ＩＣ接点検出センサ２２は、ＩＣ接点の有無を検出し、挿入されたカード２００がＩＣカードであるか否か、すなわちＩＣ接点を有するカードであるか否かを検出する。またＩＣ接点検出制御部２１は、ＩＣ接点検出センサ２２の出力をもとに、挿入されたカード２００がＩＣカードであるか否かを判定して、判定結果を本体１の制御部２に提供する。
【００２４】
図２に示すように、カード挿入排出口ユニット１０内で、ＩＣ接点検出制御部２１とＩＣ接点検出センサ２２とを、接近状態で配置して、最短の配線経路で接続している。これにより、長い配線経路による不要な寄生回路の発生を低減することができる。
【００２５】
このように、カード挿入排出口ユニット１０をカード処理装置１００の本体１に装着して、磁界発生部１１により妨害磁界を発生させることで、不正装置によるカード２００の磁気情報の不正な読み取り（スキミング）を防止することができる。また、ＩＣ接点検出センサ２２により、挿入されるカード２００がＩＣカードであるか否か、つまりＩＣ接点を有するカードであるか否かを検出することができる。
【００２６】
（２）カード挿入排出口ユニットの構造
次に、図３を参照して、本実施形態にかかるカード挿入排出口ユニット１０の構造について説明する。なお、カード挿入排出口ユニット１０の構造の説明に際し、適宜、図１及び図２を参照する。
【００２７】
図３に示すように、カード処理装置１００の本体１の前面１ｆには、カード入出口部１ａとシャッタ駆動部９が設けられている。カード入出口部１ａは、前方（図３のＴ方向）へ突出しており、中央に入出口１ｂが形成されている。入出口１ｂは、本体１内に連通している。カード２００は、入出口１ｂを通って、本体１内に入出される。
【００２８】
カード入出口部１ａの先端の凸部１ｅには、マイクロスイッチ８ａと小型磁気ヘッド８ｂが設けられている。マイクロスイッチ８ａのアクチュエータ８ｃは、カード入出口部１ａの左側から入出口１ｂ内に突出している。入出口１ｂに挿入されたカード２００の側縁がアクチュエータ８ｃに当接することにより、マイクロスイッチ８ａはＯＮ状態になり、所定の幅のカード２００が挿入されたことが検出される。
【００２９】
小型磁気ヘッド８ｂは、カード入出口部１ａの下方から入出口１ｂ内に突出している。入出口１ｂに挿入されたカード２００の磁気ストライプを検出することで、小型磁気ヘッド８ｂは磁気情報が記録されたカード２００が挿入されたことを検出する。なお小型磁気ヘッド８ｂは、ループアンテナ１２の妨害磁界の影響を受けるおそれがあるが、カード２００の磁気情報を正確に読み取れなくても、磁気情報を所定のレベルで検出できればよい。このため、妨害磁界の影響による検出性能に支障はない。
【００３０】
シャッタ機構９ｂは、図１に示したシャッタ駆動部９の駆動力により作動して、シャッタ９ａを上下動させることにより、入出口１ｂを開放または閉鎖する。図２では、シャッタ９ａが下降して、入出口１ｂを開放した状態を示している。
【００３１】
またカード挿入排出口ユニット１０の中央には、カード２００を挿入および排出する開口１０ｂが形成されている。カード挿入排出口ユニット１０の両側部には、貫通孔１０ｃが形成されている。開口１０ｂと貫通孔１０ｃの奥行き方向は、カード挿入方向Ｓと平行になっている。
【００３２】
マイクロスイッチ８ａ又は小型磁気ヘッド８ｂによりカード２００の挿入が検出されると、図１に示す制御部２が磁界制御部１３に磁界発生指令を送信する。磁界制御部１３は、磁界発生指令を受信すると、磁界発生部１１によりループアンテナ１２から妨害磁界を放射させる。
【００３３】
また他の例として、利用者がＡＴＭの前に立ったときに、ＡＴＭからカード処理装置１００に起動指令が送信されるようにしてもよい。そして起動指令をホストインタフェイス７により受信した制御部２が磁界制御部１３に磁界発生指令を送信し、磁界発生部１１により妨害磁界を放射させてもよい。この場合、カード挿入排出口ユニット１０へのカード２００の挿入前から、または挿入と同時に、磁界発生部１１により妨害磁界が放射される。また他の例として、妨害磁界を停止することなく、常時放射させてもよい。
【００３４】
そしてカード位置検出センサ６により本体１内にカード２００が取り込まれたことが検出されると、制御部２がカード搬送部５によりカード２００を搬送し、磁界制御部１３に磁界停止指令を送信する。磁界制御部１３は、磁界停止指令を受信すると、磁界発生部１１によりループアンテナ１２からの妨害磁界の放射を停止させる。他の例として、妨害磁界を所定時間放射した後、妨害磁界の放射を停止させるようにしてもよいし、妨害磁界を停止することなく常時放射させるとしてもよい。
【００３５】
この後カード搬送部５によりカード２００が搬送され、磁気読み取り部４によりカード２００の磁気情報が読み取られる。そしてカード２００に対する処理が完了すると、カード搬送部５により、カード２００がカード入出口部１ａを通ってカード挿入排出口ユニット１０へ搬送され、開口１０ｂからＴ方向（図２）に排出される。このカード排出時に、磁界制御部１３が磁界発生部１１によりループアンテナ１２から妨害磁界を放射する。
【００３６】
またカード２００がカード入出口部１ａに挿入されるときに、カード２００がＩＣカードである場合には、ＩＣ接点検出センサ２２によりＩＣカードであることが検出される。そしてカード２００がＩＣカードである場合には、ＩＣカード通信部２０により、挿入されたＩＣカードのＩＣチップに記録された情報が読み込まれ、当該情報が制御部２に提供される。
【００３７】
（３）ＩＣ接点検出と磁界の方向
次に図４及び図５を参照して、ループアンテナ１２の取り付け位置について説明する。本実施の形態では、図４に示すように、ＩＣ接点検出センサ２２の出力が磁界の影響を受けないように、ループアンテナ１２を取り付ける。具体的に、ＩＣ接点検出センサ２２の出力方向とループアンテナ１２からの妨害磁界の方向とが直交するように配置する。
【００３８】
図４に示すようにしてＩＣ接点検出センサ２２とループアンテナ１２とを配置することで、ループアンテナ１２からの妨害磁界は不正装置の磁気ヘッド５０に対して効果的に磁界を照射しつつ、ＩＣ接点検出センサの出力を比較的妨害することなくＩＣ接点検出センサ２２の機能を維持することができる。
【００３９】
また他の形態として図５に示すように、ＩＣ接点検出センサ２２の出力が磁界の影響を比較的受けないように、カード挿入排出口を取り囲む形でループアンテナ１２を２つ取り付けてもよい。この場合においてもＩＣ接点検出センサ２２の出力方向とループアンテナ１２からの妨害磁界の方向とが直交するように配置されるため、ループアンテナ１２は、不正装置の磁気ヘッド５０に対して効果的に磁界を照射しつつ、ＩＣ接点検出センサの出力を比較的妨害することなくＩＣ接点検出センサ２２の機能を維持することができる。
【００４０】
（４）ＩＣ接点検出センサの出力
次に、上記したようにＩＣ接点検出センサ２２を配置することに加えて、ＩＣ接点検出センサ２２の出力を安定させてより正しくＩＣ接点を検出するための方法について説明する。第１の方法として、ループアンテナ１２からの妨害磁界の発振周波数とＩＣ接点検出センサ２２の発振周波数とを十分離れた値とする方法が挙げられる。また第２の方法として、カード挿入検出センサ８の検出を契機として、ＩＣ接点を正しく検出する方法が挙げられる。これらの方法によりＩＣ接点検出センサ２２の出力の安定を図ることができる。
【００４１】
図６は、妨害磁界の発振周波数と、ＩＣ接点検出センサ２２の発振周波数とが十分離れた値の場合を示す。この場合、妨害磁界の干渉によるＩＣ接点検出センサ２２の出力の振幅への影響を抑えることができ、ＩＣ接点検出センサ２２の出力の振幅が安定する。したがって、図６に示すように、妨害磁界の発振周波数とＩＣ接点検出センサ２２の発振周波数とを十分離れた値とすることにより、ＩＣ接点検出センサ２２によるＩＣ接点の検出を正常に動作させることができる。
【００４２】
具体的には、妨害磁界の発振周波数が３．０ｋＨｚだった場合、ＩＣ接点検出センサ２２のＩＣ接点を検出する磁界の発振周波数を３００ｋＨｚとする。このように、妨害磁界の発振周波数とＩＣ接点検出センサ２２の発振周波数とを十分離れた値として、妨害磁界の干渉によるＩＣ接点検出センサ２２の出力の振幅への影響を低減させている。
【００４３】
本実施の形態では、上記図４又は図５に示すように、ＩＣ接点検出センサ２２が磁界の影響を受けないような磁界の方向となるように、ループアンテナ１２を取り付け、さらに、図６に示すように、妨害磁界の発振周波数と、ＩＣ接点検出センサの発振周波数とが十分離れている値とすることにより、妨害磁界の干渉によるＩＣ接点検出センサ２２の出力の振幅への影響をさらに低減し、ＩＣ接点検出センサ２２によるＩＣ接点の検出機能を正常に維持することができる。
【００４４】
次に、ＩＣ接点検出センサ２２の出力を安定させる第２の方法に関して、カード挿入検出センサ８の出力を契機として、ＩＣ接点を検出する方法について説明する。
【００４５】
図７は、カード挿入排出口ユニット１０にマイクロスイッチ８ａ及びアクチュエータ８ｃが備えられている構成を示す。カード挿入検出センサ８は、ＩＣカードがカード挿入排出口ユニット１０に挿入されたとき、カード２００がアクチュエータ８ｃを当接し、マイクロスイッチ８ａがＯＮ状態になったことを検出して、ＩＣカードの挿入を検出する。
【００４６】
そしてカード挿入検出センサ８によりＩＣカードの挿入が検出された後、ＩＣカードのＩＣ接点２０２がＩＣ接点検出センサ２２に近づく位置にＩＣ接点検出センサ２２が取り付けられている。なお本実施の形態においてはカード挿入検出センサ８の変化点を基準とすることにより、ＩＣカードのＩＣ接点２０２の有無を正しく判定することができる。
【００４７】
（５）各波形の発生又は出力タイミング
図８は、磁界発生部１１（ループアンテナ１２）により出力される妨害波の出力タイミングと、ＩＣ接点検出センサ２２（ＩＣ接点検出制御部２１）により出力されるＩＣ接点検出信号の検出タイミングとを示すシーケンス図である。またその他の信号の出力タイミングも示す。以下、上から順に出力タイミングについて説明する。
【００４８】
まず妨害波Ｓ１の出力タイミングについて説明する。磁界発生部１１は、磁界制御部１３による制御信号に基づいて、ループアンテナ１２に流す電流を制御し、ループアンテナ１２から間欠的に妨害波Ｓ１を出力する。具体的には時間経過とともに振幅を変化させて妨害波Ｓ１を出力する。振幅の変化は単調ではなく複雑な方が望ましく、ランダムであれば最も望ましい。その結果、妨害磁界が間欠的に発生することになる。
【００４９】
すなわち妨害磁界は、図６では一定の振幅及び周波数の妨害波により常時一定の強度で発生するものとして示したが、単位時間当たりに出力される妨害波を時分割して詳細に見ると、実際には図８に示すように時間経過とともに振幅を変化させた妨害波により間欠的に発生する。妨害波の振幅を変化させて妨害磁界を発生させることにより、スキミングをより困難にすることができる。
【００５０】
次いでイネーブル信号Ｓ２及び検出信号Ｓ３の出力タイミングについて説明する。ＩＣ接点検出制御部２１は、例えば内部に備える回路（図示省略）からのイネーブル信号Ｓ２に基づいて、ＩＣ接点検出センサ２２から入力した検出信号Ｓ３を制御部２に出力する。具体的にはイネーブル信号Ｓ２が出力されている間（有効である間）にＩＣ接点検出センサ２２から入力した検出信号Ｓ３を制御部２に出力する。
【００５１】
ここでイネーブル信号Ｓ２の出力タイミングに関し、ＩＣ接点検出制御部２１は、時分割した妨害波Ｓ１の振幅が０近傍のときにイネーブル信号Ｓ２を出力する。この場合、妨害磁界が微弱又は略停止している状態のときの検出信号Ｓ３を入力することができる。妨害磁界を完全に停止させることなく発生させた状態で、かつ、妨害磁界の影響を受け難いタイミングでＩＣ接点の有無を検出するようにしたので、スキミングを確実に防止しつつＩＣ接点の有無を適切に検出することができる。
【００５２】
次いで判定値Ｓ４の出力タイミングについて説明する。制御部２は、ＩＣ接点検出制御部２１からの検出信号Ｓ３を入力したタイミングで、入力した検出信号Ｓ３に基づいて開口１０ｂからＩＣカードが挿入されたか否かを判定し、判定値Ｓ４をシャッタ駆動部９に出力する。ここではイネーブル信号Ｓ２が有効である間に初めてＩＣ接点有りを示す検出信号Ｓ３を入力したタイミングで、ＩＣカード有りを示す判定値Ｓ４をシャッタ駆動部９に出力していることが示されている（破線矢印参照）。
【００５３】
なお他の実施の形態として、制御部２は、ＩＣ接点検出制御部２１からのＩＣ接点有りを示す検出信号Ｓ３と、カード挿入検出センサ８からのカード有りを示す検出信号Ｓ６との両方を入力したタイミングで、入力した検出信号Ｓ３及び検出信号Ｓ６に基づいて、ＩＣカード有りを示す判定値Ｓ４をシャッタ駆動部９に出力するとしてもよい。
【００５４】
次いで駆動信号Ｓ５の出力タイミングについて説明する。シャッタ駆動部９は、制御部２からＩＣカード有りを示す判定値Ｓ４を入力したタイミングで、シャッタ９ａの開放指令を示す駆動信号Ｓ５をシャッタ９ａに出力する。シャッタ９ａは、駆動信号Ｓ５に基づいて開口１９ｂを開放するように動作する。
【００５５】
なおシャッタ駆動部９は、開放指令をシャッタ９ａに出力した後、カード位置検出センサ６からＩＣカードが内部に挿入されたことを示す検出信号Ｓ７を入力する（破線矢印参照）。そしてシャッタ駆動部９は、検出信号Ｓ７を入力したタイミングで、シャッタ９ａの閉鎖指令を示す駆動信号Ｓ５をシャッタ９ａに出力する。シャッタ９ａは、駆動信号Ｓ５に基づいて開口１９ｂを閉鎖するように動作する。
【００５６】
（６）本実施の形態の効果
以上のように本実施の形態によれば、カード処理装置１００のカード挿入排出口ユニット１０は、カード２００を挿入および排出する開口１０ｂと、ループアンテナ１２により妨害磁界を発生する磁界発生部１１と、ＩＣカードのＩＣ接点の有無を検出するＩＣ接点検出センサ２２とを備え、ＩＣ接点検出センサ２２の検出タイミングは、ループアンテナ１２からの妨害磁界の磁界が発生しないまたは弱いタイミングと同期するように構成される。これにより、不正装置による磁気カードの磁気情報の不正な読み取り（スキミング）を防止しつつ、ＩＣ接点検出センサの性能を低下させることなく、挿入されたカード２００がＩＣ接点を有するカードであるか否かを検出することができる。
【００５７】
また、挿入されたカード２００がＩＣ接点を有するカードであるかを検出できるため、カード挿入検出センサ８とＩＣ接点検出センサ２２とを組み合わせることにより、いたずらや不正を目的とした、ＩＣ接点を有さないカードの挿入を防止することができる。さらに、挿入されたカード２００がＩＣ接点を有するカードであるかを検出できるため、ＩＣカード取引が可能な時にのみ、ＩＣカード取引処理の動作を行うことにより、ＩＣ接点ユニットの長寿命化を図ることができる。
【符号の説明】
【００５８】
１      本体
１ａ    カード入出口部
２      制御部
４      磁気読み取り部
５      カード搬送部
８      カード挿入検出センサ
１０    カード挿入排出口ユニット
１１    磁界発生部
１２    ループアンテナ
１３    磁界制御部
２０    カード通信部
２１    ＩＣ接点検出制御部
２２    ＩＣ接点検出センサ
１００  カード処理装置
２００  カード
【図１】
0006417264.tif 000002
【図２】
0006417264.tif 000003
【図３】
0006417264.tif 000004
【図４】
0006417264.tif 000005
【図５】
0006417264.tif 000006
【図６】
0006417264.tif 000007
【図７】
0006417264.tif 000008
【図８】
0006417264.tif 000009